(57)【要約】  【課題】  光ディスク装置において、薄型化が可能な技術の提供。  【解決手段】  光ディスクのチャッキング時、光ディスクがトップカバー部材の対向面に当接した状態において、光ディスクの中心孔内に挿入される突起状のクランパ部の先端面が、該トップカバー部材の貫通孔から突出し、ディスク平面領域内における該トップカバー部材の平面部の高さ位置よりも高くなる構成とする。【選択図】  図３
2006209825.tif 000002
【特許請求の範囲】
【請求項１】
光ディスクをディスクモータの回転軸に同心状にチャッキングして回転させ、情報の記録または再生を行う光ディスク装置であって、
上記ディスクモータの回転部上に配され、上記光ディスクのチャッキング時、該光ディスクの中心孔内に挿入され該光ディスクを半径方向に支持する凸状のクランパ部と、
上記ディスクモータの回転部上にあって上記クランパ部と同心状に配され、該クランパ部が上記光ディスクの中心孔内に挿入された状態で該光ディスクの平面部を支持するディスク平面支持部と、
上記クランパ部の上方に配され、該クランパ部との対向位置に貫通孔を有し、装置の表面側を覆うトップカバー部材と、
装置の裏面側を覆うボトムカバー部材と、
上記ボトムカバー部材と結合される第１の基台と、
少なくとも上記ディスクモータが取付けられる第２の基台と、
上記第１の基台側に設けられ、チャッキング時、上記光ディスクが装置内の所定位置に挿入された状態で上記第２の基台を昇降変位させる昇降機構と、
を備え、上記チャッキング時、上記昇降機構が上記第２の基台を上昇させ、上記光ディスクを上記トップカバー部材の対向面に当接させた状態において、上記クランパ部の先端面が上記トップカバー部材の貫通孔から突出し、ディスク平面領域内における平面部の高さ位置よりも高くなる構成としたことを特徴とする光ディスク装置。
【請求項２】
上記チャッキング終了後、上記昇降機構が上記第２の基台を下降させて上記光ディスクを上記トップカバー部材の対向面から離間させ、回転可能な状態としたとき、上記クランパ部の先端面が、ディスク平面領域内における該トップカバー部材の上記平面部の高さ位置よりも低くなる構成である請求項１に記載の光ディスク装置。
【請求項３】
上記第２の基台は、その中心部に対し上記ディスクモータが取付けられた位置とは反対側の位置にある端部を支点とした回動により昇降変位する構成である請求項１に記載の光ディスク装置。
【請求項４】
上記トップカバー部材の外面と上記ボトムカバー部材の外面との間の距離は、９．５×１０−３ｍ以下である請求項１から３のいずれかに記載の光ディスク装置。
【発明の詳細な説明】
【技術分野】
【０００１】
本発明は、光ディスクに対し情報を記録または再生する光ディスク装置に係り、特にその薄型化技術に関する。
【背景技術】
【０００２】
本発明に関連した従来技術として文献に記載されたものとしては、例えば、特開２００２−３５２４９７号公報（特許文献１）や特開２００４−３９１９８号公報（特許文献２）に記載されたものがある。特開２００２−３５２４９７号公報には、小型・薄型のディスク装置として、移動機構によりターンテーブルを上部筐体に設けられた当接部材側に対して相対的に移動させ、該当接部材の面にディスク面を押し付けることで、ディスク保持機構をディスク中心孔内に挿入し、該ディスクをターンテーブル上に載置された状態で保持（チャッキング）するとした構成が記載され、特開２００４−３９１９８号公報にも、ディスクドライブ装置のチャッキング機構として、ターンテーブルを備えるディスクスピンドル部がディスクに対し接離可能とされ、該ディスクスピンドル部をディスクに対し接近させ、該ディスクをアッパケースに押圧するときの押圧反力により該ディスクをターンテーブルにチャッキングするとした構成が記載されている。
【０００３】
【特許文献１】特開２００２−３５２４９７号公報
【特許文献２】特開２００４−３９１９８号公報
【発明の開示】
【発明が解決しようとする課題】
【０００４】
上記従来技術ではいずれも、ディスクをチャッキングする場合、ディスクの中心孔に挿入される部分（クランパ部）の先端面は、カバー部材（トップカバー部材）の外側平面の高さ位置からは突出せず、該高さ位置よりも低い位置とされているため、ディスクの中心孔に挿入される部分（クランパ部）の先端面の高さを減少させない限り、カバー部材の高さ寸法の減少化は難しく、装置全体の薄型化は困難である。該ディスクの中心孔に挿入される部分（クランパ部）の先端面の高さを減少させることは、該挿入動作が難しくなるなどディスクの確実なチャッキングを阻害することにつながる。
【０００５】
本発明の課題点は、上記従来技術の状況に鑑み、例えばスロットインタイプ（記録媒体としてのディスク単体を、トレイやケースなどを用いずに直接、装置内に挿入するタイプ）等の光ディスク装置において、トップカバー部材の平面部の高さ位置を低くした状態においても、光ディスクに対し所定のチャッキングを確保して、装置の薄型化を図れるようにすることである。
本発明の目的は、かかる課題点を解決し、例えば装置厚さ９．５×１０−３ｍ以下の光ディスク装置を提供することにある。
【課題を解決するための手段】
【０００６】
上記課題点を解決するために、本発明では、光ディスク装置において、光ディスクのチャッキング時、該光ディスクがトップカバー部材の対向面に当接した状態において、光ディスクの中心孔内に挿入され該光ディスクを半径方向に支持する凸状のクランパ部の先端面が、トップカバー部材の貫通孔から突出し、ディスク平面領域内における該トップカバー部材の平面部の高さ位置よりも高くなる構成とする。
【発明の効果】
【０００７】
本発明によれば、光ディスクのチャッキングを確保した状態で光ディスク装置の一層の薄型化が可能となる。
【発明を実施するための最良の形態】
【０００８】
以下、本発明を実施するための最良の形態につき、図面を用いて説明する。
図１〜図３は、本発明の一実施形態の説明図である。図１は、本発明の一実施形態としてのスロットインタイプの光ディスク装置の構成例図であって、トップカバー部材を取外した状態を示す斜視図、図２は、図１の光ディスク装置の内部構成の平面図、図３は、図１の光ディスク装置における光ディスクのチャッキングの説明図である。
【０００９】
図１において、１は光ディスク装置、２は、光ディスク（図示なし）を回転させるディスクモータ、３は、ディスクモータ２の回転部上に配され、凸状の構成を有し、チャッキング時、該凸状部分が光ディスクの中心孔内に挿入されて該光ディスクをその半径方向に支持しチャッキングするクランパ部、２ａは、上記ディスクモータ２の回転部上にあって上記クランパ部３と同心状に配され、該クランパ部３が光ディスクの中心孔内に挿入された状態で該光ディスクの中心孔周囲の平面部（記録または再生される側の平面部）を支持するディスク平面支持部、５、６は、装置の内部において、ディスクモータ２、クランパ部３、ディスク平面支持部２ａなどの周囲の広い領域を覆い、該領域において光ディスクの平面部と装置部品・機構との間を空間的に遮断する内部カバー部材、７は、光ディスク装置１の前面パネル、８は、上記クランパ部３の上方に配され、光ディスク装置１の表面側にあって装置を覆うトップカバー部材、８ａは、トップカバー部材８の外側の平面部（外側平面部）、８ｂは、トップカバー部材８上において上記クランパ部３との対向位置に設けられた貫通孔、８ｃは、貫通孔８ｂの周囲に設けられた凹部、１０は、光ディスク装置１の裏面側にあって装置を覆うボトムカバー部材、１１は、ボトムカバー部材１０と結合される第１の基台としてのベース部材、１２は、上記ディスクモータ２、クランパ部３、ディスク平面支持部２ａ、光ピックアップ（図示なし）などが取付けられた第２の基台としてのユニットメカデッキ部材である。
【００１０】
また、図２において、７１は、表面にねじ（図示なし）が設けられ、該ねじの回転により光ピックアップ（図示なし）を光ディスク（図示なし）の略半径方向に移動させるリードスクリュー部材、６０は、リードスクリュー部材７１を回転駆動する送りモータ、７２、７３は、該光ピックアップの移動を案内するガイド部材、３１、３２、３３は、光ディスクが前面パネル７側から装置内に挿入されたとき、及び、光ディスクが装置内から前面パネル７側に排出されるときに、該挿入・排出動作のための駆動力の伝達を行うレバー、３１ａはレバー３１の回動動作の支点部材、４１、４２、４３は、上記挿入された光ディスクの外周に当接して該光ディスクのセンタリングを行うローラ、８０はモータ、５０は、モータ８０への駆動入力の供給をオン・オフするスイッチ、２１は、レバー３２にモータ８０の回転駆動力を伝達する伝達機構、２２は、第１の基台としての上記ベース部材１１側に設けられ、光ディスクのチャッキング時、該光ディスクが装置内の所定位置に挿入された状態で上記ユニットメカデッキ部材１２を昇降変位させる昇降機構、２５、２６は、上記ユニットメカデッキ部材１２の昇降変位の支点である。他の符号は、上記図１の場合と同様である。上記送りモータ６０、リードスクリュー部材７１、ガイド部材７２、７３などもユニットメカデッキ部材１２上に設けられているため、該ユニットメカデッキ部材１２の上記昇降動作により、該ユニットメカデッキ部材１２とともに昇降変位する。伝達機構２１はギヤ列を備えて構成される。また、ローラ４２は、レバー３１上に設けられている。
【００１１】
上記図１及び図２の構成において、光ディスクが装置内に挿入されてチャッキングされるとき、上記昇降機構２２が、第２の基台としての上記ユニットメカデッキ部材１２を上昇させ、光ディスクを上記トップカバー部材８の凹部８ｃのディスク側の対向面に当接させた状態において、上記クランパ部３の先端面が該トップカバー部材８の貫通孔８ｂから突出し、トップカバー部材８の外側平面部８ａ内にあって少なくともディスク平面領域内（光ディスクの平面に重なる範囲の領域）における平面部の高さ位置よりも高くなるようにされる。
【００１２】
上記光ディスク装置１において、光ディスクが前面パネル７側の挿入・排出口（図示なし）から装置内に挿入されると、該光ディスクの外周にローラ４１、４２、４３が、ローラ４１、４２、４３の順で当接し、レバー３１、３２、３３を変位させながら、該光ディスクのセンタリングを行い、該光ディスクをディスクモータ４の回転軸と略同心となる位置に位置決めする。このとき、ローラ４２は光ディスクの外周に押されてレバー３１を支点部材３１ａ上の支点周りに矢印Ｅの方向に回動させる。レバー３１は、該矢印Ｅ方向の回動変位量が所定変位量に達するとスイッチ５０をオン状態にする。スイッチ５０がオン状態となることで、モータ８０に対し駆動回路（図示なし）から所定の駆動入力が供給され、該モータ８０が回転する。該モータ８０が回転すると、その回転駆動力が、伝達機構２１によりレバー３２に伝達される。レバー３２は、該伝達された力を昇降機構２２に伝える。昇降機構２２は、該伝達された力で作動し、ユニットメカデッキ部材１２の係合部を押すなどして該ユニットメカデッキ部材１２に対し、支点２５、２６周りの回動力を与え、該ユニットメカデッキ部材１２をトップカバー部材９側に回動変位（上昇変位）させる。該ユニットメカデッキ部材１２が上昇変位すると、ディスクモータ２、クランパ部３、ディスク平面支持部２ａもいっしょに上昇変位し、凸状の該クランパ部３が光ディスクの中心孔に挿入され、ディスク平面支持部２ａが、例えば光ディスクの中心孔周囲の平面部に一部当接した状態となる。該状態でさらに、ユニットメカデッキ部材１２が上昇変位すると、光ディスクが、トップカバー部材８の凹部８ｃのディスク側の対向面に当接し、該対向面からの反力により、クランパ部３がほぼ完全に光ディスクの中心孔内に入り込み、ディスク平面支持部２ａも例えばその全周の部分で光ディスクの中心孔周囲の平面部に当接した状態となる。これにより、光ディスクは該クランパ部３と該ディスク平面支持部２ａによりチャッキングされた状態となる。該チャッキング状態において、クランパ部３の先端面は該トップカバー部材８の貫通孔８ｂから突出し、トップカバー部材８の外側平面部８ａのディスク平面領域内における平面部の高さ位置よりも高い位置となる。
【００１３】
上記チャッキングが終了すると、上記昇降機構２２は、モータ８０の駆動入力に基づき、ユニットメカデッキ部材１２を、支点２５、２６周りに、上記上昇変位の場合とは逆方向に回動させて下降変位させ、光ディスクをトップカバー部材８の凹部８ｃのディスク側の対向面から離間させ、所定の位置まで下降変位させる。本実施形態においては、光ディスクが該所定の位置に下降変位した状態では、クランパ部３の先端面は、ディスク平面領域内における該トップカバー部材８の外側平面部の高さ位置よりも低くなるようにされる。また、該所定の位置では、モータ８０の駆動入力はオフ状態とされ、光ディスクはディスクモータ２により、情報の記録または再生などのために回転可能な状態となる。
以下の説明中で用いる光ディスク装置１の構成要素には、上記図１、図２の場合と同じ符号を付して用いる。
【００１４】
図３は、図１の光ディスク装置１において、光ディスクがチャッキングされたときの状態を示す図である。
図３において、１００は光ディスク、８ｃ１は、トップカバー部材８の凹部８ｃの光ディスク１００側と反対側の面（以下、トップカバー部材８の凹部８ｃの外側平面という）、８ｃ２は、トップカバー部材８の凹部８ｃの光ディスク１００側の対向面（以下、トップカバー部材８の凹部８ｃの内側平面という）、８５は、前面パネル７側に設けられた挿入・排出口、矢印Ｆ１は、ユニットメカデッキ部材１２が上昇変位するときの回動方向、矢印Ｆ２は、ユニットメカデッキ部材１２が下降変位するときの回動方向、ｈ１は、ユニットメカデッキ部材１２の中心部よりも支点２５、２６側のトップカバー部材８の外側平面部８ａ内のディスク平面領域内における平面部の高さ位置とクランパ部３の先端面との間の距離（＝クランパ部３の先端面の外側平面部８ａからの突出量）、ｈ２は、ユニットメカデッキ部材１２の中心部よりも支点２５、２６側とは反対側のトップカバー部材８の外側平面部８ａ内のディスク平面領域内における平面部の高さ位置とクランパ部３の先端面との間の距離（＝クランパ部３の先端面の外側平面部８ａからの突出量）である（ｈ２＞ｈ１とする）。
【００１５】
ユニットメカデッキ部材１２が、昇降機構２２により上昇変位され、光ディスク１００が、トップカバー部材８の凹部８ｃの内側平面８ｃ２に当接し、該内側平面８ｃ２からの反力により、クランパ部３がほぼ完全に光ディスク１００の中心孔内に入り込み、ディスクモータ２の回転部上のディスク平面支持部２ａ（図３では図示なし）も例えばその全周の部分で光ディスク１００の中心孔周囲の平面部に当接した状態となって該光ディスク１００がチャッキングされるとき、クランパ部３の先端面は、トップカバー部材８の貫通孔８ｂから、外側平面８ｃ１の高さ位置を越えて突出し、さらに、該トップカバー部材８の外側平面部８ａのディスク平面領域内における平面部の高さ位置よりもｈ１〜ｈ２高い位置となる。かかる構成は、トップカバー部材８の高さ寸法を減らし、その外側平面部８ａの高さ位置を、クランパ部３の先端面の高さ位置に対して低くすることで実現される。例えば、ｈ１、ｈ２を、例えば０．５×１０−３ｍ以下とすることで、光ディスク装置１の全体の厚さ寸法を９．５×１０−３ｍ以下とすることができる。
【００１６】
図４は、従来技術によるスロットインタイプの光ディスク装置におけるチャッキング状態を、上記図３の本発明の構成に対比させて示した図である。該図４の構成では、光ディスク１００をチャッキングするとき、ユニットメカデッキ部材１２'を支点２５'、２６'周りに矢印Ｆ１'の方向に回動させて上昇変位させ、光ディスク１００を、トップカバー部材８'の凹部８ｃ'の内側平面８ｃ２'に当接させ、チャッキング状態にする。該チャッキング状態のとき、クランパ部３'の先端面は、トップカバー部材８'の貫通孔８ｂ'からは突出するものの、トップカバー部材８'の外側平面８ａ'のディスク平面領域内における平面部の高さ位置からは突出せず、該高さ位置よりもｇ１〜ｇ２低い位置となる。かかる構成は、トップカバー部材８の高さ寸法の減少化を阻み、装置全体の薄型化を困難にする。図４において、８ｃ１'は、トップカバー部材８'の凹部８ｃ'の外側平面、８ｂ'は、トップカバー部材８上'の貫通孔、１０'はボトムカバー部材、８５'は挿入・排出口、矢印Ｆ２'は、ユニットメカデッキ部材１２'を下降変位させるときの該ユニットメカデッキ部材１２'の支点２５'、２６'周りの回動方向である。
【００１７】
上記のように、本発明の実施形態によれば、トップカバー部材８の平面部の高さ位置を低くした状態においても、クランパ部３の先端面の高さは所定量が確保され、光ディスク１００に対して所定の確実なチャッキング動作を行うことができる。その結果、装置の一層の薄型化が可能となる。
【００１８】
なお、上記実施形態はスロットインタイプの光ディスク装置の場合につき説明したが、本発明はこれに限定されない。
【図面の簡単な説明】
【００１９】
【図１】本発明の一実施形態としての光ディスク装置の構成例図である。
【図２】図１の光ディスク装置の内部構成の平面図である。
【図３】図１の光ディスク装置における光ディスクのチャッキングの説明図である。
【図４】従来技術による光ディスク装置における光ディスクのチャッキングの説明図である。
【符号の説明】
【００２０】
１…光ディスク装置、
２、２'…ディスクモータ、
２ａ…ディスク平面支持部、
３、３'…クランパ部、
５、６…内部カバー部材、
７…前面パネル、
８、８'…トップカバー部材、
８ａ、８ａ'…外側平面部、
８ｂ、８ｂ'…貫通孔、
８ｃ、８ｃ'…凹部、
１０、１０'…ボトムカバー部材、
１１…ベース部材、
１２、１２'…ユニットメカデッキ部材、
２１…伝達機構、
２２…昇降機構、
２５、２６…昇降変位の支点、
３１、３２、３３…レバー、
３１ａ…支点部材、
４１、４２、４３…ローラ、
５０…スイッチ、
６０…送りモータ、
７１…リードスクリュー部材、
７２、７３…ガイド部材、
８０…モータ、
１００…光ディスク。
【図１】
2006209825.tif 000003
【図２】
2006209825.tif 000004
【図３】
2006209825.tif 000005
【図４】
2006209825.tif 000006